(57)【要約】【課題】本発明が解決しようとする課題は、店舗が精算前の商品を入れるカゴを用意することなく、精算前の商品と精算後の商品の区別が可能な販売データ処理装置およびプログラムを提供することである。【解決手段】実施形態の販売データ処理装置は、商品が入った容器を収納する収納部と、前記収納部に収納された前記容器に入れられた商品に付された無線タグから読み取った前記商品に係るタグ情報に基づいて精算処理を行う精算部と、前記精算部が精算処理を行ったことを条件に、当該収納部に収納されている前記容器を精算処理済であることを示す態様に変更する態様変更部と、を備える。【選択図】図６
2020119186.tif 000002
【特許請求の範囲】
【請求項１】
商品が入った容器を収納する収納部と、
前記収納部に収納された前記容器に入れられた商品に付された無線タグから読み取った前記商品に係るタグ情報に基づいて精算処理を行う精算部と、
前記精算部が精算処理を行ったことを条件に、当該収納部に収納されている前記容器を精算処理済であることを示す態様に変更する態様変更部と、
を備えた販売データ処理装置。
【請求項２】
前記収納部はインクジェットヘッドを含み、前記態様変更部は、前記インクジェットヘッドから吐出したインクを前記容器に付着させて前記容器を精算処理済であることを示す態様に変更する、
請求項１に記載の販売データ処理装置。
【請求項３】
日時を計時する計時部、をさらに備え、
前記態様変更部は、前記精算部が精算した日付または日時を識別可能に前記インクジェットヘッドを用いて前記容器に印字することで、前記容器を精算処理済であることを示す態様に変更する、
請求項２に記載の販売データ処理装置。
【請求項４】
前記態様変更部は、前記容器に精算処理済であることを示すマークを前記インクジェットヘッドを用いて前記容器に印字することで、前記容器を精算処理済であることを示す態様に変更する、
請求項２に記載の販売データ処理装置。
【請求項５】
前記収納部は、前記収納部に収納された容器に向けて紫外線を照射する紫外線照射部を含み、
前記態様変更部は、紫外線を受けて変色する塗料が塗布された前記容器に対して前記紫外線照射部が紫外線を照射することで前記容器の態様を精算処理済であることを示す態様に変更する、
請求項１に記載の販売データ処理装置。
【請求項６】
商品が入った容器を収納する収納部を備えた販売データ処理装置としてのコンピュータを、
前記収納部に収納された前記容器に入れられた商品に付された無線タグから読み取った前記商品に係るタグ情報に基づいて精算処理を行う精算部と、
前記精算部が精算処理を行ったことを条件に、当該収納部に収納されている前記容器を精算処理済であることを示す態様に変更する態様変更部と、
して機能させるためのプログラム。
【発明の詳細な説明】
【技術分野】
【０００１】
本発明の実施形態は、販売データ処理装置およびプログラムに関する。
【背景技術】
【０００２】
例えば、スーパーマーケットやコンビニエンスストア等の店舗において、顧客が買物をする場合、店頭で商品を入れるカゴ（精算前の商品を入れるカゴ）やカート（以降、代表して「カゴ」という）を受け取る。顧客は、店舗内を廻り、購入する商品をカゴに入れる。購入物の選定が終了すると、顧客は、商品が入ったカゴを精算部まで運ぶ。そして、精算部に配置されたＰＯＳ端末等の販売データ処理装置において、店員または顧客自身が当該商品に係る精算処理を実行する。すなわち、店員または顧客は、販売データ処理装置にて商品に付されている無線タグを読み取らせる。そして顧客は、購入した商品に係る支払いを実行する。精算処理が終了した商品は、自動的または手動でレジ袋に移される。
【０００３】
そのため、店舗は、精算前の商品と精算後の商品を区別するため、精算前の商品を入れるカゴと精算処理が終了したことを示すレジ袋を用意する必要があった。
【発明の概要】
【発明が解決しようとする課題】
【０００４】
本発明が解決しようとする課題は、店舗が精算前の商品を入れるカゴを用意することなく、精算前の商品と精算後の商品の区別が可能な販売データ処理装置およびプログラムを提供することである。
【課題を解決するための手段】
【０００５】
実施形態の販売データ処理装置は、商品が入った容器を収納する収納部と、前記収納部に収納された前記容器に入れられた商品に付された無線タグから読み取った前記商品に係るタグ情報に基づいて精算処理を行う精算部と、前記精算部が精算処理を行ったことを条件に、当該収納部に収納されている前記容器を精算処理済であることを示す態様に変更する態様変更部と、を備える。
【図面の簡単な説明】
【０００６】
【図１】図１は、第１実施形態に係るセルフＰＯＳ端末を示す斜視図である。
【図２】図２は、収納部の内部構造を正面側から示す説明図である。
【図３】図３は、セルフＰＯＳ端末のハードウェア構成を示すブロック図である。
【図４】図４は、セルフＰＯＳ端末の機能構成を示す機能ブロック図である。
【図５】図５は、レジ袋への印字例を示す図である。
【図６】図６は、セルフＰＯＳ端末の制御処理の流れを示すフローチャートである。
【図７】図７は、レジ袋への他の印字例を示す図である。
【図８】図８は、レジ袋へのさらに他の印字例を示す図である。
【図９】図９は、第２実施形態に係るセルフＰＯＳ端末のハードウェア構成を示すブロック図である。
【図１０】図１０は、第２実施形態に係るセルフＰＯＳ端末の機能構成を示す機能ブロック図である。
【図１１】図１１は、第２実施形態に係るセルフＰＯＳ端末の制御処理の流れを示すフローチャートである。
【発明を実施するための形態】
【０００７】
（第１実施形態）
以下、図面を参照して、第１実施形態に係る販売データ処理装置およびプログラムについて説明する。なお、第１実施形態では、セルフＰＯＳ端末を販売データ処理装置の一例として説明する。また、第１実施形態では、レジ袋を容器の一例として説明する。また、第１実施形態では、タイマを計時部の一例として説明する。なお、以下に説明する実施形態により、この発明が限定されるものではない。
【０００８】
まず、セルフＰＯＳ端末について説明する。図１は、第１実施形態に係るセルフＰＯＳ端末を示す斜視図である。図１に示すように、セルフＰＯＳ端末１は、本体部１ａと、本体部１ａと別体に設けられた収納部１ｂとを備える。
【０００９】
セルフＰＯＳ端末１は、顧客が購入する商品について、顧客自身が操作をして当該商品の売上登録処理および精算処理を行う装置である。売上登録処理とは、販売される商品に付された無線タグからタグ情報を読み取ることで、商品を特定する商品コード（商品特定情報）を取得し、取得した商品コードに基づいて商品マスタから当該商品の商品情報（商品名、価格等）読み出し、読み出した当該商品の商品情報を表示するとともに、商品情報を商品情報部１３１（図３を参照）に記憶する処理をいう。精算処理とは、売上登録処理に伴い商品情報部１３１に記憶された商品情報に基づいて、取引に係る合計金額や税額の表示、顧客から預かった預り金に基づいて釣銭を計算して表示する処理、釣銭の発行を釣銭機に指示する処理、商品情報や精算情報（合計金額、預り金額、釣銭額等）を印字したレシートを発行する処理等をいう。なお、商品情報と精算情報を合わせた情報を売上情報という。
【００１０】
セルフＰＯＳ端末１の本体部１ａは、後述する制御部１００（図３を参照）、硬貨釣銭機、紙幣釣銭機、電源部（いずれも図示せず）等を内部に収納する。また、本体部１ａは、顧客から預かった硬貨を投入する硬貨投入部１ａ１、硬貨分の釣銭を払い出す硬貨払い出し口１ａ２、顧客から預かった紙幣を投入する紙幣投入部１ａ３、紙幣分の釣銭を払い出す紙幣払い出し口１ａ４、商品情報や精算情報が印字されたレシートを発行するレシート発行口１ａ５、カードでの精算をする際にカードを投入するカード投入口１ａ６等を備える。
【００１１】
硬貨投入部１ａ１から投入した硬貨は、硬貨釣銭機に収納される。顧客に払い出す硬貨分の釣銭は、硬貨釣銭機に収納されている硬貨を硬貨払い出し口１ａ２に払い出す。また、紙幣投入部１ａ３から投入した紙幣は、紙幣釣銭機に収納される。顧客に払い出す紙幣分の釣銭は、紙幣釣銭機に収納されている硬貨を紙幣払い出し口１ａ４に払い出す。
【００１２】
また、本体部１ａは、上部に表示部２２を備える。表示部２２は、商品情報や精算情報を顧客に表示する。また、本体部１ａは、円柱状のポール１ａ８を備え、ポール１ａ８の上部先端部には、パトランプ１ａ９を備える。パトランプ１ａ９は、セルフＰＯＳ端末１にエラーが発生した場合や、セルフＰＯＳ端末１の操作が分からない場合等に、アテンダントに知らせるために光るランプである。
【００１３】
収納部１ｂは、顧客が購入する商品が入れられたレジ袋を収納する。収納部１ｂは、収納されたレジ袋に入れられた商品のタグ情報を一括で読み取る。収納部１ｂは、箱状の本体部１ｂ１と上部に蓋部１ｂ２とを有する。蓋部１ｂ２は収納部１ｂの内部を開閉する。
【００１４】
図２は、収納部１ｂの内部構造を正面側から示す説明図である。収納部１ｂは、正面と上面が開放された構造である。内部の上部に、レジ袋Ｆの取っ手を引っ掛ける１本の棒状の支持部１ｂ３を備える。顧客は、商品Ｐが入れられたレジ袋Ｆを支持部１ｂ３に引っ掛ける。
【００１５】
また、収納部１ｂの内部の側面部と底面部には、アンテナ２４１を備える。アンテナ２４１は、無線タグリーダ２４（図３を参照）と電気的に接続されており、商品Ｐに向けて電波を送信する。この電波を受信した無線タグは、商品を特定する商品特定情報を含むタグ情報を送信する。アンテナ２４１は、無線タグから送信されたタグ情報を受信する。このようにして、無線タグリーダ２４は、レジ袋Ｆに入れられたすべての商品Ｐに係るタグ情報を読み取る。
【００１６】
また、収納部１ｂの内部の側部には、レジ袋Ｆが支持部１ｂ３に引っ掛けられているかを検知するセンサ２７を備える。センサ２７は、例えば透過式のセンサであり、一方が発光部で構成され、他方が受光部で構成される。センサ２７は、受光部から放射された光が受光部で受光しなければ、支持部１ｂ３に引っ掛けられているレジ袋Ｆを検知したことを示す出力をする。また、センサ２７は、受光部から放射された光が受光部で受光していれば、支持部１ｂ３に引っ掛けられたレジ袋Ｆを検知していないことを示す出力をする。
【００１７】
また、収納部１ｂの内部には、インクを吐出するインクジェットヘッド２６を備えており、支持部１ｂ３に引っ掛けられているレジ袋Ｆに対してインクを吐出して、レジ袋Ｆに文字や図形を印字する。インクジェットヘッド２６は、カラーのインクを吐出する。なお、インクジェットヘッド２６は、対向する２面に備えられているか、対向する２面に加え、収納部１ｂの後方の面にも設けてもよい。実施形態では、図１に示すように、対向する２面と後方の面の３面にインクジェットヘッド２６を備えている。
【００１８】
ここからは、セルフＰＯＳ端末１のハードウェアについて説明する。図３は、セルフＰＯＳ端末のハードウェア構成を示すブロック図である。図３に示すように、セルフＰＯＳ端末１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述するセルフＰＯＳ端末１の制御処理を実行する。
【００１９】
ＲＡＭ１３は、商品情報部１３１を備える。商品情報部１３１は、商品マスタ１４２から取得した商品の商品情報（商品名、価格等）を記憶する。
【００２０】
メモリ部１４は、ＨＤＤ（Hard  Disc  Drive）やフラッシュメモリ等で構成されており、電源を遮断しても記憶内容を維持する。メモリ部１４は、制御プログラム部１４１、商品マスタ１４２を備える。制御プログラム部１４１はセルフＰＯＳ端末１を制御するための制御プログラムを記憶する。商品マスタ１４２は、商品を特定する商品コード（商品特定情報）に対応付けて、当該商品の商品情報を記憶する。
【００２１】
制御部１００は、バス１５とコントローラ１６を介して、操作部２１、表示部２２、プリンタ２３、無線タグリーダ２４、カードリーダ／ライタ（Ｒ／Ｗ）２５、インクジェットヘッド２６、センサ２７等を接続する。
【００２２】
操作部２１は、読取キー２１１、締めキー２１２を含むキーボードである。読取キー２１１は、支持部１ｂ３に引っ掛けられたレジ袋Ｆに入れられた商品に付された無線タグの読み取りを開始するためのキーである。締めキー２１２は、売上登録処理された商品について、精算処理を開始するためのキーであり、顧客との取引を終了する際に操作するキーである。
【００２３】
表示部２２は、操作をする顧客に情報を表示する。プリンタ２３は、長尺状の用紙に、売上情報を印字したレシートを発行する。無線タグリーダ２４は、アンテナ２４１から収納部１ｂの内部に電波を送信し、収納部１ｂ内の商品に付された無線タグのタグ情報をアンテナ２４１で受信して読み取る。カードＲ／Ｗ２７は、顧客が支払いに使用するカード（例えばクレジットカード）から、カード特定情報を読み取る。
【００２４】
また、制御部１００は、バス１５を介して、通信インタフェース（Ｉ／Ｆ）２８、タイマ３１と接続している。制御部１００は、通信インタフェース２８を介して、上位サーバ（図示せず）や他のセルフＰＯＳ端末１と相互に通信可能である。タイマ３１は現在の時刻を計時して出力する。
【００２５】
ここからは、第１実施形態に係るセルフＰＯＳ端末１の機能構成について説明する。図４は、セルフＰＯＳ端末１の機能構成を示す機能ブロック図である。図４に示すように、セルフＰＯＳ端末１の制御部１００は、制御プログラム部１４１に記憶され、ＲＡＭ１３に展開された制御プログラムに従うことで、レジ袋判断部１０１、読取部１０２、売上登録部１０３、精算部１０４、態様変更部１０５として機能する。
【００２６】
レジ袋判断部１０１は、センサ２７からの出力に基づいて、レジ袋Ｆを検出したかを判断する。具体的には、レジ袋判断部１０１は、読取キー２１１が操作された場合に、センサ２７からの出力に基づいて、レジ袋Ｆを検出したかを判断する。
【００２７】
読取部１０２は、レジ袋判断部１０１がレジ袋Ｆを検知した場合、アンテナ２４１から電波を送信し、レジ袋Ｆに入れられた商品に付された無線タグから商品特定情報を含むタグ情報を読み取る。
【００２８】
売上登録部１０３は、読取部１０２が読み取った商品特定情報に基づいて商品マスタ１４２から商品情報を読み出して、レジ袋Ｆに入れられた商品に係る売上登録処理を実行する。
【００２９】
精算部１０４は、収納部１ｂに収納されたレジ袋Ｆに入れられた商品に付された無線タグから読み取った商品に係るタグ情報に基づいて精算処理を行う。精算部１０４は、売上登録部１０３が売上登録処理を行った商品の商品情報に基づいて、当該商品に係る精算処理を実行する。具体的には、例えば現金で精算をする場合には、精算部１０４は、顧客が投入した金銭（紙幣や硬貨）の金額と商品の合計金額に基づいて、釣銭がある場合は釣銭を払い出し、売上登録処理された商品の商品情報や精算情報（合計金額、預り金額、釣銭額、等）を印字したレシートをプリンタ２３から発行する。
【００３０】
態様変更部１０５は、精算部１０４が精算処理を行ったことを条件に、当該収納部に収納されているレジ袋Ｆを精算処理済であることを示す態様に変更する。態様変更部１０５は、精算部１０４が精算処理を行ったことを条件に、インクジェットヘッド２６からインクを吐出して、レジ袋Ｆに、文字、画像、マーク等の情報を印刷することで、レジ袋Ｆを精算済みであることが視覚的に認識できる態様に変更する。例えば、図５に示すように、態様変更部１０５は、レジ袋Ｆに、タイマ３１が計時する日時情報に基づいて、精算部１０４が精算処理を終了した日にち、あるいは日時を印刷する。
【００３１】
このように、日にち単位あるいは時間単位で、レジ袋Ｆに印刷する情報を変化させることで、顧客が、態様を変更したレジ袋Ｆを再度店舗に持ち込んで使用する不正を防止することができる。
【００３２】
また、態様変更部１０５は、レジ袋Ｆの大きさによって異なる態様に変更するようにしてもよい。一般的に、多くの商品を購入した顧客には大きいレジ袋Ｆが使用される等、購入した商品の量に応じた大きさのレジ袋Ｆが使用される。そして、例えば大きいレジ袋Ｆには大きいレジ袋Ｆである態様が印刷される。そのため、レジ袋Ｆの大きさが印刷された態様によって購入された商品の量が推定できる。例えば、大きいレジ袋Ｆの態様が印刷されたレジ袋Ｆに少しの商品しか入っていない場合、レジ袋Ｆが不正に使用された（例えば以前使用したレジ袋Ｆが再度使用された）ことを疑うことができる。
【００３３】
ここからは、第１実施形態に係るセルフＰＯＳ端末１の制御について説明する。図６は、セルフＰＯＳ端末１の制御処理の流れを示すフローチャートである。図６に示すように、セルフＰＯＳ端末１の制御部１００は、読取キー２１１が操作されたかを判断する（Ｓ１１）。読取キー２１１が操作されたと判断した場合には（Ｓ１１のＹｅｓ）、レジ袋判断部１０１は、センサ２７からの出力に基づいて、レジ袋Ｆを検出したかを判断する（Ｓ１２）。レジ袋判断部１０１がレジ袋Ｆを検出したと判断した場合には（Ｓ１２のＹｅｓ）、読取部１０２は、アンテナ２４１から電波を送信し、レジ袋Ｆに入れられた商品に付された無線タグから商品特定情報を含むタグ情報を読み取る（Ｓ１３）。そして売上登録部１０３は、読取部１０２が読み取った商品特定情報に基づいて商品マスタ１４２から商品情報を読み出して、レジ袋Ｆに入れられた商品に係る売上登録処理を実行する（Ｓ１４）。そして制御部１００は、Ｓ１１に戻る。また、レジ袋判断部１０１がレジ袋Ｆを検出していないと判断した場合には（Ｓ１２のＮｏ）、制御部１００はエラー処理を実行する（Ｓ１５）。そして制御部１００は、Ｓ１１に戻る。
【００３４】
また、Ｓ１１において、読取キー２１１の操作ではないと判断した場合には（Ｓ１１のＮｏ）、制御部１００は、締めキー２１２が操作されたかを判断する（Ｓ２１）。締めキー２１２が操作されたと判断した場合には（Ｓ２１のＹｅｓ）、精算部１０４は、売上登録部１０３がＳ１４において売上登録処理を行った商品の商品情報を商品情報部１３１から読み出して、当該商品に係る精算処理を実行する（Ｓ２２）。
【００３５】
次に制御部１００は、精算部１０４による精算処理が終了したかを判断する（Ｓ２３）。精算部１０４がＳ２２において精算処理を開始してから所定時間が経過した場合には、制御部１００は、精算部１０４による精算処理が終了したと判断する。精算部１０４による精算処理が終了するまで待機し（Ｓ２３のＮｏ）、精算部１０４による精算処理が終了したと判断した場合には（Ｓ２３のＹｅｓ）、制御部１００は、タイマ３１が計時する現在の日時情報を取得する（Ｓ２４）。
【００３６】
次に態様変更部１０５は、収納部１ｂに収納されているレジ袋Ｆを精算処理済であることを示す態様に変更する（Ｓ２５）。すなわち、態様変更部１０５は、インクジェットヘッド２６からインクを吐出して、レジ袋Ｆに、タイマ３１から取得した日時情報に基づいて、精算部１０４が精算処理を終了した日にちあるいは日時を印刷することで、精算処理済であることを視覚的に認識できるように、レジ袋Ｆの態様を変更する（Ｓ２５）。そして制御部１００は、態様変更部１０５による精算処理済であることを示す態様への変更が終了したら、レジ袋Ｆを取り出してもいいことを示すメッセージを表示部２２に表示する（Ｓ２６）。そして制御部１００は、Ｓ１１に戻る。なお、締めキー２１２の操作ではないと判断した場合には（Ｓ２１のＮｏ）、制御部１００は、Ｓ１１に戻る。
【００３７】
このような第１実施形態によれば、インクジェットヘッド２６を用いて、精算処理を行ったレジ袋Ｆを、精算処理済であることを示す態様に変更する。そのため、店舗が精算前の商品を入れるカゴを用意することなく、精算前の商品と精算後の商品の区別が可能となる。
【００３８】
なお、態様変更部１０５は、図７に示すように、態様変更部１０５は、レジ袋Ｆに、精算処理が終了したことを示す文字を印字してもよい。また、態様変更部１０５は、レジ袋Ｆに印刷する情報の色、形、大きさ等を、例えば日にち毎に変更するようにしてもよい。例えば、図８に示すように、態様変更部１０５は、レジ袋Ｆに印刷する情報の形状を時間単位で変更する。例えば図８の例は、商品を購入した曜日が判別可能な形状の図形を印刷している。
【００３９】
また、態様変更部１０５は、例えば、レジ袋Ｆに印刷する情報の色、大きさ、形状のいずれかを、タイマ３１が計時する日時に基づいて日にち単位や日時単位で変更する。また、例えば、態様変更部１０５は、レジ袋Ｆに印刷する情報の形を日にち単位で変更する。また、例えば、態様変更部１０５は、レジ袋Ｆに印刷する情報の大きさを日にち単位で変更する。
【００４０】
（第２実施形態）
ここからは、第２実施形態について説明する。図９は、第２実施形態に係るセルフＰＯＳ端末１のハードウェア構成を示すブロック図である。図９において、図３と同一の構成については同一符号を付し、説明を省略する。第２実施形態に係るセルフＰＯＳ端末１は、インクジェットヘッド２６の代わりに紫外線照射部３２を備える。紫外線照射部３２は、図２におけるインクジェットヘッド２６の取り付け位置とほぼ同位置に取り付けられる。紫外線照射部３２は、支持部１ｂ３に引っ掛けられたレジ袋Ｆのほぼ全体に紫外線を照射することができる。
【００４１】
また、第２実施形態で使用されるレジ袋Ｆは、紫外線が照射されると色が変化する塗料が塗布されている。当該塗料は、レジ袋Ｆ全体に塗布されていてもよいし、例えばレジ袋Ｆの最も目立つ部分（例えばレジ袋Ｆの中央部付近）に塗布されていてもよい。
【００４２】
図１０は、第２実施形態に係るセルフＰＯＳ端末の機能構成を示す機能ブロック図である。図１０において、図４と同一の構成については同一符号を付し、説明を省略する。図１０に示すように、態様変更部１０５は、精算部１０４が精算処理を行ったことを条件に、当該収納部に収納されているレジ袋Ｆを精算処理済であることを示す態様に変更する。すなわち、態様変更部１０５は、精算部１０４が精算処理を行ったことを条件に、紫外線照射部３２から紫外線をレジ袋Ｆに照射して、レジ袋Ｆ全体の色を変更させるか、レジ袋Ｆの一部の色を変更して、レジ袋Ｆに文字、画像、マーク等の情報を印刷することで、レジ袋Ｆを精算済みであることが視覚的に認識できる態様に変更する。
【００４３】
ここからは、第２実施形態に係るセルフＰＯＳ端末１の制御について説明する。図１１は、第２実施形態に係るセルフＰＯＳ端末の制御処理の流れを示すフローチャートである。図１１において、図６と同一制御については同一符号を付し、説明を省略する。図１１に示すように、精算部１０４による精算処理が終了したと判断した場合には（Ｓ２３のＹｅｓ）、態様変更部１０５は、紫外線照射部３２から紫外線をレジ袋Ｆに照射して、レジ袋Ｆを精算処理済であることを示す態様に変更する（Ｓ３１）。すなわち、態様変更部１０５は、紫外線照射部３２から紫外線を照射してレジ袋Ｆの色を変化させることで、レジ袋Ｆを精算処理済であることを視覚的に認識できるように、レジ袋Ｆの態様を変更する（Ｓ３１）。そして制御部１００は、Ｓ２６以降の処理を実行する。
【００４４】
このような第２実施形態によれば、紫外線照射部３２から紫外線を照射してレジ袋Ｆを精算処理済であることを示す態様に変更するため、店舗が精算前の商品を入れるカゴを用意することなく、精算前の商品と精算後の商品の区別が可能となる。
【００４５】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００４６】
例えば、実施形態では、レジ袋Ｆを容器の一例として説明した。しかしながらこれに限らず、レジ袋Ｆ以外の商品を収納する袋やカゴ等を容器としてもよい。
【００４７】
また、実施形態では、本体部１ａと収納部１ｂは別体として説明したが、本体部１ａと収納部１ｂは同一の筐体に収納されたそれぞれの装置であってもよい。
【００４８】
また、実施形態では、Ｓ１１において読取キー２１１を操作した場合にＳ１２においてレジ袋Ｆを検出しているかを判断するようにした。しかしながらこれに限らず、読取キー２１１を操作しなくても常にＳ１２の判断をするようにしてもよい。この場合、レジ袋判断部１０１は、読取キー２１１の操作非操作に関係なく、常に、レジ袋Ｆを支持部１ｂ３に吊るしていない場合はレジ袋Ｆを検知していないと判断し、レジ袋Ｆを支持部１ｂ３に吊るすとレジ袋Ｆを検知したと判断する。なお、この場合、読取キー２１１は不要としてもよい。
【００４９】
なお、実施形態のセルフＰＯＳ端末１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００５０】
また、実施形態のセルフＰＯＳ端末１で実行されるプログラムを、インターネット等のネットワークに接続されたコンピュータ上に格納し、ネットワーク経由でダウンロードさせることにより提供するように構成しても良い。また、実施形態のセルフＰＯＳ端末１で実行されるプログラムをインターネット等のネットワーク経由で提供または配布するように構成しても良い。
【００５１】
また、実施形態のセルフＰＯＳ端末１で実行されるプログラムを、ＲＯＭ等に予め組み込んで提供するように構成してもよい。
【符号の説明】
【００５２】
１      セルフＰＯＳ端末
１ａ    本体部
１ｂ    収納部
１１    ＣＰＵ
１２    ＲＯＭ
１３    ＲＡＭ
１４    メモリ部
１ｂ１  本体部
１ｂ２  蓋部
１ｂ３  指示部
２１    操作部
２２    表示部
２３    プリンタ
２４    無線タグリーダ
２６    インクジェットヘッド
２７    センサ
３１    タイマ
３２    紫外線照射部
１００  制御部
１０１  レジ袋判断部
１０２  読取部
１０３  売上登録部
１０４  精算部
１０５  態様変更部
２１１  読取キー
２１２  キー
２４１  アンテナ
Ｆ      レジ袋
【先行技術文献】
【特許文献】
【００５３】
【特許文献１】特開２０１５−５３８０２号公報
【図１】
2020119186.tif 000003
【図２】
2020119186.tif 000004
【図３】
2020119186.tif 000005
【図４】
2020119186.tif 000006
【図５】
2020119186.tif 000007
【図６】
2020119186.tif 000008
【図７】
2020119186.tif 000009
【図８】
2020119186.tif 000010
【図９】
2020119186.tif 000011
【図１０】
2020119186.tif 000012
【図１１】
2020119186.tif 000013